【手続補正書】
【提出日】平成19年7月30日(2007.7.30)
【手続補正１】
【補正対象書類名】明細書
【補正対象項目名】特許請求の範囲
【補正方法】変更
【補正の内容】
【特許請求の範囲】
【請求項１】
複数の放電セルによって構成され、１フィールドの映像が複数のサブフィールドにより表示されるプラズマディスプレイ装置の駆動方法であって、
前記複数のサブフィールドのうち少なくとも１つのサブフィールドはリセット期間を有し、全画素に対する発光する画素の比率が変化した場合、前記リセット期間におけるリセットパルスの電圧が変化することを特徴とするプラズマディスプレイ装置の駆動方法。
【請求項２】
請求項１に記載のプラズマディスプレイ装置の駆動方法であって、前記比率が大きい場合には前記比率が小さい場合よりも前記リセットパルスの電圧を高くすることを特徴とするプラズマディスプレイ装置の駆動方法。
【請求項３】
請求項１に記載のプラズマディスプレイ装置の駆動方法であって、前記比率が０％の場合は前記比率が０％より大きい場合よりも前記リセットパルスの電圧を低くすることを特徴とするプラズマディスプレイ装置の駆動方法。
【請求項４】
請求項３に記載のプラズマディスプレイ装置の駆動方法であって、前記比率が０％の場合は前記比率が５０％以上の場合よりも前記リセットパルスの電圧を低くすることを特徴とするプラズマディスプレイ装置の駆動方法。
【請求項５】
複数の放電セルによって構成され、入力された映像信号に応じて、前記放電セルに放電を生じさせて映像を表示するプラズマディスプレイ装置の駆動方法であって、
前記放電セルの初期化を行うためのリセットパルスが印加されるリセットステップと、
入力された映像に応じて発光する放電セルの選択を行うアドレスステップと、
前記アドレスステップにおいて選択された放電セルに維持放電を生じさせるサステインステップとを備え、
前記維持放電で点灯する点灯セル数が変化した場合前記リセットパルスの電圧が変化することを特徴とするプラズマディスプレイの駆動方法。
【請求項６】
請求項５に記載のプラズマディスプレイ装置の駆動方法であって、前記点灯セル数が多い場合には前記点灯セル数が少ない場合よりも前記リセットパルスの電圧を高くすることを特徴とするプラズマディスプレイ装置の駆動方法。
【請求項７】
請求項５に記載のプラズマディスプレイ装置の駆動方法であって、入力された映像が全黒表示の映像である場合は全白表示の映像である場合よりも前記リセットパルスの電圧を低くすることを特徴とするプラズマディスプレイ装置の駆動方法。
【請求項８】
請求項７に記載のプラズマディスプレイ装置の駆動方法であって、前記全黒表示の映像はすべての放電セルが非点灯となる映像で、前記全白表示の映像はすべての放電セルが点灯となる映像であることを特徴とするプラズマディスプレイ装置の駆動方法。
【請求項９】
複数の放電セルによって構成され、１フィールドの映像が複数のサブフィールドにより表示されるプラズマディスプレイ装置の駆動方法であって、
前記複数のサブフィールドのうち少なくとも１つのサブフィールドはリセット期間を有し、前記リセット期間では、放電セルの初期化を行うためにリセットパルスが印加され、発光する放電セルの数に基づいて前記リセットパルスの電圧が変化することを特徴とするプラズマディスプレイ装置の駆動方法。
【請求項１０】
請求項９に記載のプラズマディスプレイ装置の駆動方法であって、発光する放電セルの数が多い場合は少ない場合よりも前記リセットパルスの電圧を高くすることを特徴とするプラズマディスプレイ装置の駆動方法。
【請求項１１】
複数の放電セルによって構成され、１フィールドの映像が複数のサブフィールドにより表示され、前記複数のサブフィールドのうち少なくとも１つのサブフィールドがリセット期間を有するプラズマディスプレイ装置の駆動方法であって、
前記リセット期間では、発光する放電セルの数が第一の値の場合に第一のリセットパルスが印加され、前記発光する放電セルの数が第一の場合とは異なる第二の値の場合に、第一のリセットパルスとは異なる第二のリセットパルスが印加されることを特徴とするプラズマディスプレイ装置の駆動方法。
【請求項１２】
請求項１１に記載のプラズマディスプレイ装置の駆動方法であって、前記リセット期間では発光する放電セルの数が第一の値の場合に第一の電圧値を有するリセットパルスが印加され、前記発光する放電セルの数が第一の場合よりも大きい第二の値の場合に、第一の電圧値よりも大きい第二の電圧値を有するリセットパルスが印加されることを特徴とするプラズマディスプレイ装置の駆動方法。
【請求項１３】
複数の放電セルを有し、１フィールドの映像が複数のサブフィールドにより表示され、前記複数のサブフィールドのうち少なくとも１つのサブフィールドは放電セルの初期化を行うリセット期間を有するプラズマディスプレイ装置であって、
前記リセット期間においてリセットパルスを発生させる駆動回路と、
全画素に対する発光する画素の比率が変化した場合に前記リセットパルスの電圧が変化するように前記駆動回路を制御する制御回路とを有することを特徴とするプラズマディスプレイ装置。
【請求項１４】
請求項１３に記載のプラズマディスプレイ装置であって、前記制御回路は前記比率が大きい場合は前記比率が小さい場合よりも前記リセットパルスの電圧を高くするように前記駆動回路を制御することを特徴とするプラズマディスプレイ装置。
【請求項１５】
請求項１３に記載のプラズマディスプレイ装置であって、前記制御回路は前記比率が０％の場合は前記比率が０％より大きい場合よりも前記リセットパルスの電圧を低くするように前記駆動回路を制御することを特徴とするプラズマディスプレイ装置。
【請求項１６】
請求項１５に記載のプラズマディスプレイ装置であって、前記制御回路は前記比率が０％の場合は前記比率が５０％以上の場合よりも前記リセットパルスの電圧を低くするように前記駆動回路を制御することを特徴とするプラズマディスプレイ装置。
【請求項１７】
複数の放電セルを有し、１フィールドの映像が複数のサブフィールドにより表示され、前記複数のサブフィールドのうち少なくとも１つのサブフィールドは放電セルの初期化を行うリセット期間を有するプラズマディスプレイ装置であって、
前記リセット期間においてリセットパルスを発生させる駆動回路と、
入力されたディジタルデータから全画素に対する発光する画素の比率を検出する検出回路と、
前記検出回路により検出された前記比率に基づいて前記リセットパルスの電圧を変更するように前記駆動回路を制御する制御回路とを有することを特徴とするプラズマディスプレイ装置。
【請求項１８】
複数の放電セルを有し、１フィールドの映像が複数のサブフィールドにより表示され、前記複数のサブフィールドのうち少なくとも１つのサブフィールドは少なくとも放電セルの初期化を行うリセット期間を有するプラズマディスプレイ装置であって、
前記リセット期間においてリセットパルスを発生させる駆動回路と、
１フィールドにおいて点灯する点灯セル数が変化した場合前記リセットパルスの電圧が変化するように前記駆動回路を制御する制御回路とを有することを特徴とするプラズマディスプレイ装置。
【請求項１９】
請求項１８に記載のプラズマディスプレイ装置であって、前記制御回路は点灯セル数が多い場合は点灯セル数が少ない場合よりも前記リセットパルスの電圧を高くするように前記駆動回路を制御することを特徴とするプラズマディスプレイ装置。
【請求項２０】
請求項１８に記載のプラズマディスプレイ装置であって、前記制御回路は入力された映像が全黒表示の映像である場合に全白表示の映像である場合よりも前記リセットパルスの電圧を低くするように前記駆動回路を制御することを特徴とするプラズマディスプレイ装置。
【請求項２１】
請求項２０に記載のプラズマディスプレイ装置であって、前記全黒表示の映像はすべての放電セルが非点灯となる映像で、前記全白表示の映像はすべての放電セルが点灯となる映像であることを特徴とするプラズマディスプレイ装置。
【請求項２２】
複数の放電セルを有し、１フィールドの映像が複数のサブフィールドにより表示され、前記サブフィールドのうち少なくとも１つのサブフィールドは少なくとも放電セルの初期化を行うリセット期間を有するプラズマディスプレイ装置であって、
前記リセット期間においてリセットパルスを発生させる駆動回路と、
発光する放電セルの数に基づいて前記リセットパルスの電圧を変更するように前記駆動回路を制御する制御回路とを有することを特徴とするプラズマディスプレイ装置。
【請求項２３】
請求項２２に記載のプラズマディスプレイ装置であって、前記制御回路は発光する放電セルの数が多い場合は少ない場合よりも前記リセットパルスの電圧を高くするように前記駆動回路を制御することを特徴とするプラズマディスプレイ装置。
【請求項２４】
複数の放電セルを有し、１フィールドの映像が複数のサブフィールドにより表示され、前記複数のサブフィールドのうち少なくとも１つのサブフィールドは放電セルの初期化を行うリセット期間を有するプラズマディスプレイ装置であって、
前記リセット期間においてリセットパルスを発生させる駆動回路と、
発光する放電セルの数が第一の値の場合に第一のリセットパルスが印加され、前記発光する放電セルの数が第一の場合とは異なる第二の値の場合に、第一のリセットパルスとは異なる第二のリセットパルスが印加されるように前記駆動回路を制御する制御回路とを有することを特徴とするプラズマディスプレイ装置。
【請求項２５】
請求項２４に記載のプラズマディスプレイ装置であって、前記制御回路は、発光する放電セルの数が第一の値の場合に第一の電圧値を有するリセットパルスが印加され、前記発光する放電セルの数が第一の場合よりも大きい第二の値の場合に、第一の電圧値よりも大きい第二の電圧値を有する第二のリセットパルスが印加されるように前記駆動回路を制御することを特徴とするプラズマディスプレイ装置。
【手続補正２】
【補正対象書類名】明細書
【補正対象項目名】００２３
【補正方法】変更
【補正の内容】
【００２３】
【課題を解決するための手段】
上記目的を達成するため、本発明は次のように構成される。
（１）複数の放電セルによって構成され、１フィールドの映像が複数のサブフィールドにより表示されるプラズマディスプレイ装置の駆動方法であって、
前記複数のサブフィールドのうち少なくとも１つのサブフィールドはリセット期間を有し、全画素に対する発光する画素の比率が変化した場合、前記リセット期間におけるリセットパルスの電圧が変化する。
（２）好ましくは上記（１）において、前記比率が大きい場合には前記比率が小さい場合よりも前記リセットパルスの電圧を高くすることを特徴とするプラズマディスプレイ装置の駆動方法。
【手続補正３】
【補正対象書類名】明細書
【補正対象項目名】００２４
【補正方法】変更
【補正の内容】
【００２４】
（３）好ましくは、上記（１）において、前記比率が０％の場合は前記比率が０％より大きい場合よりも前記リセットパルスの電圧を低くする。
（４）好ましくは、上記（３）において、前記比率が０％の場合は前記比率が５０％以上の場合よりも前記リセットパルスの電圧を低くする。
【手続補正４】
【補正対象書類名】明細書
【補正対象項目名】００２５
【補正方法】変更
【補正の内容】
【００２５】
（５）複数の放電セルによって構成され、入力された映像信号に応じて、前記放電セルに放電を生じさせて映像を表示するプラズマディスプレイ装置の駆動方法であって、前記放電セルの初期化を行うためのリセットパルスが印加されるリセットステップと、入力された映像に応じて発光する放電セルの選択を行うアドレスステップと、前記アドレスステップにおいて選択された放電セルに維持放電を生じさせるサステインステップとを備え、前記維持放電で点灯する点灯セル数が変化した場合前記リセットパルスの電圧が変化する。
（６）好ましくは、上記（５）において、前記点灯セル数が多い場合には前記点灯セル数が少ない場合よりも前記リセットパルスの電圧を高くする。
【手続補正５】
【補正対象書類名】明細書
【補正対象項目名】００２６
【補正方法】変更
【補正の内容】
【００２６】
（７）好ましくは、上記（５）において、入力された映像が全黒表示の映像である場合は全白表示の映像である場合よりも前記リセットパルスの電圧を低くする。
（８）好ましくは、上記（７）において、前記全黒表示の映像はすべての放電セルが非点灯となる映像で、前記全白表示の映像はすべての放電セルが点灯となる映像である。
【手続補正６】
【補正対象書類名】明細書
【補正対象項目名】００２７
【補正方法】変更
【補正の内容】
【００２７】
（９）複数の放電セルによって構成され、１フィールドの映像が複数のサブフィールドにより表示されるプラズマディスプレイ装置の駆動方法であって、前記複数のサブフィールドのうち少なくとも１つのサブフィールドはリセット期間を有し、前記リセット期間では、放電セルの初期化を行うためにリセットパルスが印加され、発光する放電セルの数に基づいて前記リセットパルスの電圧が変化する。
（１０）好ましくは、上記（９）において、発光する放電セルの数が多い場合は少ない場合よりも前記リセットパルスの電圧を高くする。
【手続補正７】
【補正対象書類名】明細書
【補正対象項目名】００２８
【補正方法】変更
【補正の内容】
【００２８】
（１１）複数の放電セルによって構成され、１フィールドの映像が複数のサブフィールドにより表示され、前記複数のサブフィールドのうち少なくとも１つのサブフィールドがリセット期間を有するプラズマディスプレイ装置の駆動方法であって、前記リセット期間では、発光する放電セルの数が第一の値の場合に第一のリセットパルスが印加され、前記発光する放電セルの数が第一の場合とは異なる第二の値の場合に、第一のリセットパルスとは異なる第二のリセットパルスが印加される。
（１２）好ましくは、上記（１１）において、前記リセット期間では発光する放電セルの数が第一の値の場合に第一の電圧値を有するリセットパルスが印加され、前記発光する放電セルの数が第一の場合よりも大きい第二の値の場合に、第一の電圧値よりも大きい第二の電圧値を有するリセットパルスが印加される。
【手続補正８】
【補正対象書類名】明細書
【補正対象項目名】００２９
【補正方法】変更
【補正の内容】
【００２９】
（１３）複数の放電セルを有し、１フィールドの映像が複数のサブフィールドにより表示され、前記複数のサブフィールドのうち少なくとも１つのサブフィールドは放電セルの初期化を行うリセット期間を有するプラズマディスプレイ装置であって、前記リセット期間においてリセットパルスを発生させる駆動回路と、全画素に対する発光する画素の比率が変化した場合に前記リセットパルスの電圧が変化するように前記駆動回路を制御する制御回路とを有する。
（１４）好ましくは、上記（１３）において、前記制御回路は前記比率が大きい場合は前記比率が小さい場合よりも前記リセットパルスの電圧を高くするように前記駆動回路を制御する。
【手続補正９】
【補正対象書類名】明細書
【補正対象項目名】００３０
【補正方法】変更
【補正の内容】
【００３０】
（１５）好ましくは、上記（１３）において、前記制御回路は前記比率が０％の場合は前記比率が０％より大きい場合よりも前記リセットパルスの電圧を低くするように前記駆動回路を制御する。
（１６）好ましくは、上記（１５）において、前記制御回路は前記比率が０％の場合は前記比率が５０％以上の場合よりも前記リセットパルスの電圧を低くするように前記駆動回路を制御する。
【手続補正１０】
【補正対象書類名】明細書
【補正対象項目名】００３１
【補正方法】変更
【補正の内容】
【００３１】
（１７）複数の放電セルを有し、１フィールドの映像が複数のサブフィールドにより表示され、前記複数のサブフィールドのうち少なくとも１つのサブフィールドは放電セルの初期化を行うリセット期間を有するプラズマディスプレイ装置であって、前記リセット期間においてリセットパルスを発生させる駆動回路と、
入力されたディジタルデータから全画素に対する発光する画素の比率を検出する検出回路と、前記検出回路により検出された前記比率に基づいて前記リセットパルスの電圧を変更するように前記駆動回路を制御する制御回路とを有する。
【手続補正１１】
【補正対象書類名】明細書
【補正対象項目名】００３２
【補正方法】変更
【補正の内容】
【００３２】
（１８）複数の放電セルを有し、１フィールドの映像が複数のサブフィールドにより表示され、前記複数のサブフィールドのうち少なくとも１つのサブフィールドは少なくとも放電セルの初期化を行うリセット期間を有するプラズマディスプレイ装置であって、前記リセット期間においてリセットパルスを発生させる駆動回路と、１フィールドにおいて点灯する点灯セル数が変化した場合前記リセットパルスの電圧が変化するように前記駆動回路を制御する制御回路とを有する。
（１９）好ましくは、上記（１８）において、前記制御回路は点灯セル数が多い場合は点灯セル数が少ない場合よりも前記リセットパルスの電圧を高くするように前記駆動回路を制御する。
（２０）好ましくは、上記（１８）において、前記制御回路は入力された映像が全黒表示の映像である場合に全白表示の映像である場合よりも前記リセットパルスの電圧を低くするように前記駆動回路を制御する。
（２１）好ましくは、上記（２０）において、前記全黒表示の映像はすべての放電セルが非点灯となる映像で、前記全白表示の映像はすべての放電セルが点灯となる映像である。
（２２）複数の放電セルを有し、１フィールドの映像が複数のサブフィールドにより表示され、前記サブフィールドのうち少なくとも１つのサブフィールドは少なくとも放電セルの初期化を行うリセット期間を有するプラズマディスプレイ装置であって、前記リセット期間においてリセットパルスを発生させる駆動回路と、発光する放電セルの数に基づいて前記リセットパルスの電圧を変更するように前記駆動回路を制御する制御回路とを有する。
（２３）好ましくは、上記（２２）において、前記制御回路は発光する放電セルの数が多い場合は少ない場合よりも前記リセットパルスの電圧を高くするように前記駆動回路を制御する。
（２４）複数の放電セルを有し、１フィールドの映像が複数のサブフィールドにより表示され、前記複数のサブフィールドのうち少なくとも１つのサブフィールドは放電セルの初期化を行うリセット期間を有するプラズマディスプレイ装置であって、前記リセット期間においてリセットパルスを発生させる駆動回路と、発光する放電セルの数が第一の値の場合に第一のリセットパルスが印加され、前記発光する放電セルの数が第一の場合とは異なる第二の値の場合に、第一のリセットパルスとは異なる第二のリセットパルスが印加されるように前記駆動回路を制御する制御回路とを有する。
（２５）好ましくは、上記（２４）において、前記制御回路は、発光する放電セルの数が第一の値の場合に第一の電圧値を有するリセットパルスが印加され、前記発光する放電セルの数が第一の場合よりも大きい第二の値の場合に、第一の電圧値よりも大きい第二の電圧値を有する第二のリセットパルスが印加されるように前記駆動回路を制御する。